(57)【要約】  本発明は歯科用ハンドピースに関する。歯科用ハンドピースは、タービンを内蔵し、歯科用器具を保持するための手段及びタービンにガスを導入するための少なくとも一つの穴とバルブとを備えている。ハンドピースボデーは、ヘッドを受容するためのソケット及びガス供給ラインに連通しているガス導入ダクトとを有している。ソケットがヘッドを完全に回転できるようになっている。そして歯科用器具を保持するための手段がコントロールプッシュボタンを有しているコレットホルダである。中間ダクトがヘッドに備えられており、補助ダクトはハンドピースボデーに備えられそして中間ダクトの入口と連通している出口を有している。コントロールプッシュボタンはヘッド内部に収容されていて、押し下げるための表面と開くための表面とを有している。中空スペースがヘッドの内表面とコントロールプッシュボタンの押し下げるための表面との間に形成されており、中空スペースは中間ダクトの出口と連通している。【特許請求の範囲】
【請求項１】
タービンを内蔵し、歯科用器具を保持するための手段及び前記タービンにガスを導入するための少なくとも一つの穴とを備えているヘッドと；前記ヘッドを受容するためのソケット及びガス供給ラインに連通しているガス導入ダクトとを有しているハンドピースボデーと；を備えている歯科用ハンドピースであって：
前記ヘッドのための前記ソケットが前記ヘッドを完全に回転できるようになっていて、そして歯科用器具を保持するための前記手段がコントロールプッシュボタンを有しているコレットホルダである歯科用ハンドピースにおいて、
前記歯科用ハンドピースがバルブを備えていて、中間ダクトが前記ヘッドに備えられており、補助ダクトは前記ハンドピースボデーに備えられそして前記中間ダクトの入口と連通している出口を有していて、前記コレットホルダは前記ヘッド内部に収容されているクランプブレードを有しており、前記コントロールプッシュボタンは前記ヘッド内部に収容されていて、往復運動を行ないそして前記コレットホルダの前記クランプブレードに作用するようになっており、前記コントロールプッシュボタンは押し下げるための表面と前記コレットホルダのクランプブレードを開くための表面とを有していて、中空スペースが前記ヘッドの内表面と前記コントロールプッシュボタンの前記押し下げるための表面との間に形成されており、前記中空スペースは前記中間ダクトの出口と連通していて、前記ガス供給ラインは前記バルブを介して前記補助ダクトの入口と連通するようになっており、そして前記補助ダクトの前記出口と前記中間ダクトの前記入口とは溝を介してお互いに連通していて、前記ヘッドは回転時にいずれの位置をとることもできて、前記溝は、前記ヘッド用の前記ソケットの内表面に形成されるか、又は前記ソケットの内部に配置された、前記ヘッドの外表面の一部分に形成されていることを特徴とする歯科用ハンドピース。
【請求項２】
タービンにガスを導入するための前記穴がノズルである、請求項１に記載の歯科用ハンドピース。
【請求項３】
前記ソケットの外表面と、前記ソケットから延伸している、前記ヘッドの外表面の一部分とが結合して回転剛体を形成している、請求項１に記載の歯科用ハンドピース。
【請求項４】
前記バルブが、前記ハンドピースボデー内部に収容されていて、そしてワッシャ及びノブを備えている、請求項１に記載の歯科用ハンドピース。
【発明の詳細な説明】
【技術分野】
【０００１】
本発明は医用工学、特に歯科用ハンドピースに関するのである。
【背景技術】
【０００２】
特許文献１は歯科用器具を開示していて、その歯科用ハンドピースは、歯科用器具用の保持チャックを備えたヘッドと、ネックと、ボデーと、保持チャック用の機械式駆動機構とを備えていて、駆動機構の軸はヘッドの回動軸に対して傾斜する場合、真円から完全な円錐の作動面を形成していて、ヘッドが自軸周囲で完全に回転すると、その作動面は作動点を有している。
【０００３】
前記装置には固有の欠点があって、ヘッドボデーがグリップボデーを横断して突出していて、従って患者の口腔における操作が複雑なものになっている。
【０００４】
特許文献２が歯科用ハンドピースを開示していて、その歯科用ハンドピースは、ガス入口及びガス出口とを備えたグリップボデーと、グリップボデーから横側に突出しているボデーを有しているヘッドとを有していて、前記ヘッドは、歯科用ハンドピースのグリップボデーに備えられたスイベルスリーブにより矢状面において３６０°全体に回転可能であり、かつ一方の側面においてグリップボデーに取り付けられたウォームギアに係合可能であり、そして他方の側面においてヘッドボデーに連結されたピニョンギアに係合可能であって、タービンはヘッド内部に収容されそして軸受に軸支されている。歯科用ハンドピースにおいて歯科用器具はコントロールプッシュボタンを備えたコレットホルダに取り付けられていて、前記コレットホルダはタービンに接続され、共通回動軸を有しており、前記コントロールプッシュボタンはヘッドの外表面に配置されている。
【０００５】
特許文献２に開示された歯科用器具は、特許文献１に開示の歯科用ハンドピースに固有の欠点と同一の欠点を有している。さらに、コントロールプッシュボタンを歯科用ハンドピースのヘッドに取り付けることは全体寸法を大きなものとしている。
【０００６】
本発明の歯科用ハンドピースにおいて歯科用ハンドピース用のコレットホルダを使用することは、作動側における歯科用器具を保持し妨害しないようにしていて、従って、ヘッド自体を小型化している。というのは従来形の歯科用ハンドピースにおいて歯科用器具を保持する器具を妨害しないためには、ヘッドに設置されたコントロールプッシュボタンを使用することになり、構造全体の寸法が大きくなり、従って患者の口腔における操作が複雑なものになり患者を傷つけるリスクが増大する。
【特許文献１】ロシア国特許出願公開第９６／１０１，７４８号明細書
【特許文献２】ロシア国特許第２，０３０，９０４号明細書
【発明の開示】
【発明が解決しようとする課題】
【０００７】
本発明の目的は、歯科用ハンドピースの限界クリアランスにおけるスイベルヘッドと、ヘッド内部に設置されたコントロールプッシュボタンを有しているコレットホルダとを備えていて、従って、歯科用器具の応用範囲を広げ、かつ患者の口腔における操作を容易にする歯科用ハンドピースを提供することである。
【０００８】
本開示において、用語“ガス”は一般的な総称と使用されている。最も一般的に歯科で使用されているガスはガス又は種々の水−ガス混合体であるけれども、本発明は、いずれのガス混合体を用いて操作するのにも適切なものである。
【０００９】
従って、本発明の明細書において、“空気”、“ガス”及び“作動流体”の概念は同等なものとみなされる。
【課題を解決するための手段】
【００１０】
前述の目的は以下に説明する歯科用ハンドピースにより達成されている。
歯科用ハンドピースは、タービンを内蔵し、歯科用器具を保持するための手段及び前記タービンにガスを導入するための少なくとも一つの穴とを備えているヘッドと；前記ヘッドを受容するためのソケット及びガス供給ラインに連通しているガス導入ダクトとを有しているハンドピースボデーと；を備えていて：
前記ヘッドのための前記ソケットが前記ヘッドを完全に回転できるようになっていて、そして歯科用器具を保持するための前記手段がコントロールプッシュボタンを有しているコレットホルダである歯科用ハンドピースにおいて、
前記歯科用ハンドピースがバルブを備えていて、中間ダクトが前記ヘッドに備えられており、補助ダクトは前記ハンドピースボデーに備えられそして前記中間ダクトの入口と連通している出口を有していて、前記コレットホルダは前記ヘッド内部に収容されているクランプブレードを有しており、前記コントロールプッシュボタンは前記ヘッド内部に収容されていて、往復運動を行ないそして前記コレットホルダの前記クランプブレードに作用するようになっており、前記コントロールプッシュボタンは押し下げるための表面と前記コレットホルダのクランプブレードを開くための表面とを有していて、中空スペースが前記ヘッドの内表面と前記コントロールプッシュボタンの前記押し下げるための表面との間に形成されており、前記中空スペースは前記中間ダクトの出口と連通していて、前記ガス供給ラインは前記バルブを介して前記補助ダクトの入口と連通するようになっており、そして前記補助ダクトの前記出口と前記中間ダクトの前記入口とは溝を介してお互いに連通していて、前記ヘッドは回転時にいずれの位置をとることもできて、前記溝は、前記ヘッド用の前記ソケットの内表面に形成されるか、又は前記ソケットの内部に配置された、前記ヘッドの外表面の一部分に形成されている。
【００１１】
タービンにガスを導入するための前記穴がノズルである。
【００１２】
歯科用ハンドピースを用いての処置を容易にし、かつ治療中の患者の口腔を傷つけるリスクを低減するために、ヘッドソケットを囲んでいるハンドピースボデーの外表面と、前記ヘッドの外表面とが結合して回転剛体を形成している。
【００１３】
前記バルブが、ワッシャ及びハンドルを備えていて、そして前記ハンドピースボデー内部に収容されていてもよい。
【発明を実施するための最良の形態】
【００１４】
添付図面を用いて、本発明の歯科用ハンドピースを以下に説明する。
【００１５】
歯科用ハンドピースが、タービンを内蔵し、そして歯科用器具を保持するための手段及びタービンにガスを導入するための少なくとも一つの穴（図示せず）とを備えているヘッド１（図１，２）と、バルブ２とを有している。ハンドピースボデー３が、ヘッドを受容するためのソケット４及びガス供給ライン６に連通しているガス導入ダクト５とを有している。
ヘッド１のためのソケット４がヘッド１を完全に回転できるようになっている。そして歯科用器具を保持するための手段がコントロールプッシュボタン８を有しているコレットホルダ７である。コレットホルダ７のクランプブレード７1はヘッド１の内部に収容されており、コントロールプッシュボタン８はヘッド１内部に設置されていて、往復運動を行ないそしてコレットホルダのクランプブレード７1に作用するようになっている。コントロールプッシュボタン８は押し下げるための表面８1とコレットホルダ７のクランプブレード７1を開くための表面８2とを有している。
【００１６】
中間ダクト９がヘッド１に備えられており、補助ダクト１０はハンドピースボデー３に備えられそして中間ダクト９の入口と連通している出口を有している。中空スペース１１がヘッド１の内表面１1とコントロールプッシュボタンの押し下げるための表面８1との間に形成されており、中空スペースは中間ダクト９の出口と連通している。ガス供給ライン６はバルブ２を介して補助ダクト１０の入口と連通するようになっている。補助ダクト１０の出口と中間ダクト９の入口とは溝１２を介してお互いに連通していて、ヘッド１は回転時にいずれの位置をとることもできるようになっている。溝１２は、ヘッド１用のソケット４の内表面に形成されるか、又はソケット４の内部に配置された、ヘッド１の外表面の一部分に形成されている。
【００１７】
タービンにガスを導入するための穴はノズルである。
【００１８】
歯科用ハンドピースを用いての処置を容易にしかつ治療中の患者の口腔を傷つけるリスクを低減するために、ヘッド１のソケット４の外表面と、ハンドピースボデーの外表面の一部分とが結合して回転剛体を形成している。
【００１９】
バルブ２が、ワッシャ１４及びノブ１５を備えていて、そしてハンドピースボデー３内部に収容されていてもよい。
【００２０】
ここに提案されている歯科用ハンドピースは以下のように作動する。
ガスが、ガス供給ライン６とノズルとに連通しているガス導入ダクト５を介してタービンへ導入され、タービンを所定の回転数に加速するべく駆動する。歯科用器具１６は、ヘッド１と共にボデー３に対して所定の方向に向けられた後に治療の準備ができている。バルブ２を回転すると、ガスのガス導通ダクト５への導入が停止され、そしてガスは補助ダクト１０に沿って流れ、そして溝１２を介して中間ダクト１２へ流れ、ヘッド１の内表面１1とプッシュボタン８を駆動するために押し下げられる表面８1との間に形成されたスペース１１へと流れる。その結果ガス圧が表面８1に作用し、コレットホルダのクランプブレード７1を開くための表面８2に作用する。表面８2は、歯科用器具１６を引き込むべく開放するために開くようになっているコレットホルダ７のクランプブレード７1に作用している。
【産業上の利用可能性】
【００２１】
本発明は歯科用ハンドピースとして医用工学に使用出来ることが発明した。ここに提案した発明は、従来技術よりすぐれたものであって、従来技術に打ち勝つ以下のような利点を備えている。すなわち、ほぼ限界クリアランスのスイブルヘッドを有している歯科用ハンドピースと、ヘッド内部に配置されたコントロールプッシュボタンを有しているコレットホルダと、歯科用器具の性能信頼性の向上と、患者の口腔内部においての容易な治療とを提供するものである。
【図面の簡単な説明】
【００２２】
【図１】図１は、本発明による歯科用器具の全体図である。
【図２】図２は、本発明による歯科用器具の断面図である。
【図１】
2007528739.tif 000002
【図２】
2007528739.tif 000003
【国際調査報告】
2007528739.tif 000004
2007528739.tif 000005